【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
腹腔鏡と組み合わせて使用するための視界最適化アセンブリであって、該腹腔鏡は、該腹腔鏡のシャフト先端に位置するレンズおよびＣＯ２送気源とを有し、
該アセンブリは、
多腔型シースアセンブリであって、該多腔型シースアセンブリは、該腹腔鏡のシャフトを覆うように搭載されることが可能である近位端および遠位端を有する、多腔型シースアセンブリと、
偏向器アセンブリであって、該偏向器アセンブリは、該シースアセンブリの該遠位端に位置し、該シースアセンブリの管腔と流体連通している、偏向器アセンブリと、
管類セットであって、該管類セットは、該シースアセンブリの該管腔を該ＣＯ２送気源に接続する、管類セットと
を含み、
該管腔を通るＣＯ２流は、該偏向器アセンブリと接触すると渦を形成し、それによって、該腹腔鏡レンズの曇りを防止する、アセンブリ。
【請求項２】
前記渦は、概してシースの軸を横断する軸を中心として螺旋状である、請求項１に記載の視界最適化アセンブリ。
【請求項３】
前記腹腔鏡が第１の管腔および第２の管腔を含み、該第１の管腔は、該第１の管腔を通る該第２の管腔より高い気流速度を可能にして前記渦を形成するように構成されている、請求項１に記載の視界最適化アセンブリ。
【請求項４】
前記シースは、前記遠位端に停止部を含み、該停止部は、該シースが腹腔鏡内に挿入され得る距離を制限する、請求項１に記載の最適化アセンブリ。
【請求項５】
マニホールドをさらに含み、該マニホールドは、前記管類セットを前記シースアセンブリに連結するために該シースアセンブリの近位端に位置する、請求項１に記載の最適化アセンブリ。
【請求項６】
前記マニホールドは、前記管類セットを前記シースアセンブリに接続するための簡易交換連結部を含む、請求項５に記載の最適化アセンブリ。
【請求項７】
前記マニホールドは、複数の入口をさらに含み、該複数の入口は、前記シースアセンブリの管腔と相互作用するように配列される、請求項６に記載の最適化アセンブリ。
【請求項８】
前記シースアセンブリの前記近位端に位置する係止カラーをさらに含み、該係止カラーは、前記腹腔鏡に摩擦係合し、該シースアセンブリからの該腹腔鏡の軸方向抜脱に抵抗する、請求項１に記載の最適化アセンブリ。
【請求項９】
前記シースアセンブリの遠位端および前記偏向器アセンブリは、前記腹腔鏡シャフト先端の表面と実質的に平行である、請求項１に記載の最適化アセンブリ。
【請求項１０】
前記腹腔鏡シャフト先端の表面は、前記腹腔鏡の中心軸に対して垂直でない角度に角度が付けられ、該シャフト先端は、下端および上端を有する、請求項１に記載の最適化アセンブリ。
【請求項１１】
前記シャフト先端の角度は、前記腹腔鏡の中心軸に対する垂線から３０°である、請求項１０に記載の最適化アセンブリ。
【請求項１２】
前記シャフト先端の角度は、前記腹腔鏡の中心軸に対する垂線から４５°である、請求項１０に記載の最適化アセンブリ。
【請求項１３】
前記偏向器アセンブリによる渦は、前記シャフト先端の前記下端から該シャフト先端の前記上端まで該シャフト先端にわたって、ＣＯ２を吹き込むことによって形成される、請求項１０に記載の最適化アセンブリ。
【請求項１４】
前記管類セット内に位置するインライン圧送デバイスをさらに含み、前記圧送デバイスは、清浄流体を前記偏向器アセンブリまで送達可能である、請求項１に記載の最適化アセンブリ。
【請求項１５】
前記腹腔鏡の前記レンズにわたって、空気の噴出を提供するための手段をさらに含む、請求項１に記載の最適化アセンブリ。
【手続補正２】
【補正対象書類名】明細書
【補正対象項目名】０００８
【補正方法】変更
【補正の内容】
【０００８】
本発明は、例えば、以下を提供する：
（項目１）
腹腔鏡と組み合わせて使用するための視界最適化アセンブリであって、該腹腔鏡は、該腹腔鏡のシャフト先端に位置するレンズおよびＣＯ２送気源とを有し、
該アセンブリは、
多腔型シースアセンブリであって、該多腔型シースアセンブリは、該腹腔鏡のシャフトを覆うように搭載されることが可能である近位端および遠位端を有する、多腔型シースアセンブリと、
偏向器アセンブリであって、該偏向器アセンブリは、該シースアセンブリの該遠位端に位置し、該シースアセンブリの管腔と流体連通している、偏向器アセンブリと、
管類セットであって、該管類セットは、該シースアセンブリの該管腔を該ＣＯ２送気源に接続する、管類セットと
を含み、
該管腔を通るＣＯ２流は、該偏向器アセンブリと接触すると渦を形成し、それによって、該腹腔鏡レンズの曇りを防止する、アセンブリ。
（項目２）
マニホールドをさらに含み、該マニホールドは、前記管類セットを前記シースアセンブリに連結するために該シースアセンブリの近位端に位置する、項目１に記載の最適化アセンブリ。
（項目３）
前記マニホールドは、前記管類セットを前記シースアセンブリに接続するための簡易交換連結部を含む、項目２に記載の最適化アセンブリ。
（項目４）
前記マニホールドは、複数の入口をさらに含み、該複数の入口は、前記シースアセンブリの管腔と相互作用するように配列される、項目３に記載の最適化アセンブリ。
（項目５）
前記シースは、前記遠位端に停止部を含み、該停止部は、該シースが腹腔鏡内に挿入され得る距離を制限する、項目１に記載の最適化アセンブリ。
（項目６）
前記シースアセンブリの前記近位端に位置する係止カラーをさらに含み、該係止カラーは、前記腹腔鏡に摩擦係合し、該シースアセンブリからの該腹腔鏡の軸方向抜脱に抵抗する、項目１に記載の最適化アセンブリ。
（項目７）
前記シースアセンブリの遠位端および前記偏向器アセンブリは、前記腹腔鏡シャフト先端の表面と実質的に平行である、項目１に記載の最適化アセンブリ。
（項目８）
前記腹腔鏡シャフト先端の表面は、前記腹腔鏡の中心軸に対して垂直でない角度に角度が付けられ、該シャフト先端は、下端および上端を有する、項目８に記載の最適化アセンブリ。
（項目９）
前記シャフト先端の角度は、前記腹腔鏡の中心軸に対する垂線から３０°である、項目８に記載の最適化アセンブリ。
（項目１０）
前記シャフト先端の角度は、前記腹腔鏡の中心軸に対する垂線から４５°である、項目８に記載の最適化アセンブリ。
（項目１１）
前記偏向器アセンブリによる渦は、前記シャフト先端の前記下端から該シャフト先端の前記上端まで該シャフト先端にわたって、ＣＯ２を吹き込むことによって形成される、項目８に記載の最適化アセンブリ。
（項目１２）
前記管類セット内に位置するインライン圧送デバイスをさらに含み、前記圧送デバイスは、清浄流体を前記偏向器アセンブリまで送達可能である、項目１に記載の最適化アセンブリ。
（項目１３）
前記腹腔鏡の前記レンズにわたって、空気の噴出を提供するための手段をさらに含む、項目１に記載の最適化アセンブリ。
（項目１４）
腹腔鏡下手技の間、腹腔鏡のレンズの曇りを防止する方法であって、
該方法は、
ＣＯ２送気源を提供するステップと、
視界最適化アセンブリを提供するステップであって、
該視界最適化アセンブリは、
多腔型シースアセンブリであって、該多腔型シースアセンブリは、該腹腔鏡のシャフトを覆うように搭載可能である近位端および遠位端を有する、多腔型シースアセンブリと、
偏向器アセンブリであって、該偏向器アセンブリは、該シースアセンブリの該遠位端に位置し、該シースアセンブリの管腔と流体連通する、偏向器アセンブリと、
管類セットであって、該管類セットは、該シースアセンブリの管腔を該ＣＯ２送気源に接続する、管類セットと
を含む、ステップと、
ＣＯ２を該ＣＯ２送気源から該偏向器アセンブリまで流動させるステップと、
該偏向器アセンブリを用いて該ＣＯ２の渦を形成することによって該腹腔鏡のレンズにわたってＣＯ２を吹き込み、それによって、該腹腔鏡レンズの曇りをとるステップと
を含む、方法。
（項目１５）
前記腹腔鏡の前記レンズは、該腹腔鏡の中心軸に対して垂直でない角度に角度が付けられ、該レンズは、下端および上端を有する、項目１４に記載の方法。
（項目１６）
前記腹腔鏡の前記レンズにわたってＣＯ２を吹き込むステップは、前記シャフト先端の前記下端から該シャフト先端の前記上端まで、該レンズにわたって、ＣＯ２を吹き込むステップを含む、項目１５に記載の方法。
（項目１７）
前記腹腔鏡の前記レンズの表面にわたって、清浄流体を圧送するステップをさらに含む、項目１４に記載の方法。
（項目１８）
前記腹腔鏡のレンズにわたって、空気の噴出を圧送するステップをさらに含む、項目１７に記載の方法。
（項目１９）
項目１に記載の視界最適化アセンブリを含む、キット。
（項目２０）
腹腔鏡下手技の間、腹腔鏡のレンズを清浄化するための方法であって、
該方法は、
滅菌液体源を提供するステップと、
該レンズを覆うように滅菌溶液を流動させて、該腹腔鏡下手技の間に形成される手術破片を除去するステップと、
ＣＯ２送気源を提供するステップと、
該レンズを覆うように送気用ＣＯ２を吹き込むステップと、
送気用ＣＯ２の噴出を提供することにより、該腹腔鏡下手技の間に形成される泡を該腹腔鏡レンズから除去するステップと
を含む、方法。
（項目２１）
前記形成された泡のための放出通気口を提供するステップをさらに含む、項目２０に記載の方法。
（項目２２）
前記滅菌液体は、スルホコハク酸ジオクチル塩を含む、項目２０に記載の方法。
（項目２３）
前記滅菌液体は、スルホコハク酸ジオクチルナトリウムをさらに含む、項目２２に記載の方法。
（項目２４）
前記スルホコハク酸ジオクチルナトリウムは、約０．０５％−０．２５％の範囲のｗ／ｖの前記滅菌溶液を含む、項目２３に記載の方法。
（項目２５）
前記滅菌溶液は、約６．５−７．５の範囲のｐＨを有する、項目２４に記載の方法。
本発明の一側面は、低侵襲手術の間、腹腔鏡レンズの術中の曇り除去、手術破片の偏向、および清浄を可能にする一方で、手術部位の可視化も維持する、偏向器アセンブリを有する、視界最適化アセンブリを提供する。使用の際、視界最適化アセンブリは、そのレンズの清浄または曇り除去の目的のために、腹腔から腹腔鏡１２を除去せずに、手術部位の鮮明な可視化を維持するための手術方法の実践を可能にする。